(57)【要約】【課題】  パソコンのメイン装置および周辺装置にあるプラグを直接に挿入して使用することが可能で、据付作業が簡単でケーブルの配置が綺麗なパソコン卓用埋込式ソケットの構造を提供する。【解決手段】  パソコン卓５０の両側にあるフレームは、管体５１で構成され、且つその角部には連通状態である。フレームの管体５１周縁の上下方の適当な箇所では貫通孔５２、貫通孔５３が開けられ、貫通孔５３には保護ホース５４が連接している。埋込式ソケット６０のソケットパネル６１にはメイン装置の背面にある多種のソケットに対応するソケットが設けられ、埋込式ソケット６０のソケットに対応する箇所には延長用ケーブルが設けられる。ソケットパネル６１をフレームに開けられた貫通孔５２に設置する場合には、延長用ケーブルは、管体５１を挿通して、貫通孔５３に連結した保護ホース５４から抜き出す。【選択図】    図３
0003108348.tif 000002
【実用新案登録請求の範囲】
【請求項１】
パソコン用卓や棚などの管体に、埋込孔と貫通孔とが開けられ、前記埋込孔には埋込式ソケットが設けられているパソコン卓用埋込式ソケットの構造であって、
前記埋込式ソケットのソケットパネルには、電源ソケット、ディスプレー用ソケット、拡声器用ソケット、マウス用ソケット、スキャナ用ソケット、マイク用ソケット、インターネット用ソケット、ＲＡＭディスク用ソケット、ディスクバーナー用ソケット、デジカメ用ソケットの少なくともいずれか一つが設けられ、前記ソケットには延長用ケーブルが設けられ、前記延長用ケーブルは、パソコン用卓や棚などの管体を挿通して、前記貫通孔に結合された保護ホースから延び出していることを特徴とするパソコン卓用埋込式ソケットの構造。
【考案の詳細な説明】
【技術分野】
【０００１】
本考案は、パソコン卓用埋込式ソケットの構造に関し、特にパソコン用卓や棚などの家具の管体にソケットを予めに埋め込んで、一般のパソコンのメイン装置および周辺装置のプラグが前記埋込式ソケットに直接に挿し込んで使用することにより、パソコンの据付がもっと簡単で快速に完成することができ、且つ外観も綺麗になるパソコン卓用埋込式ソケットの構造に関するものである。
【背景技術】
【０００２】
目下、パソコンをテーブルに設置する形態は、図１に示すような形態と、図２に示すような形態とに分けられる。図１に示すような形態は、パソコンをパソコン卓２０に設置する形態であり、そのメイン装置１０がパソコン卓２０の下方に設置され、キーボード１２が卓面２１の下方にある摺動板２２に設置され、なお、ディスプレー１３と、マウス１４と、拡声器１５となどの周辺装置が卓面２１に設置され、なお、全ての周辺装置のケーブルＡは卓面２１に開けた貫通孔２１１を貫通して、パソコン卓２０の後ろ側を経て、パソコン卓２０の下方に設置されるメイン装置１０の背面にあるソケット１１にプラグＢをそれぞれ挿入し固定して、メイン装置１０をパソコン卓２０の下方の適当な箇所に設置する。
【０００３】
図２に示すような形態は、ノートブック３０をパソコン卓４０に設置する形態であり、電源ソケット４２がパソコン卓４０の卓面４１の角部の近所に設置され、ノートブック３０を使用しようとする場合には、電源プラグ３１を卓面４１に設置された電源ソケット４２に挿入し固定することにより、ノートブック３０が使用可能である。
【考案の開示】
【考案が解決しようとする課題】
【０００４】
しかしながら、従来のものは次のような欠点があった。
（イ）図１に示すような形態は、メイン装置１０がパソコン卓２０の下方に設置され、周辺装置を増減する場合には、パソコン卓２０の下方に設置されるメイン装置１０を外側へ移動しないと、卓面２１に開けた貫通孔２１１を貫通したプラグＢはメイン装置１０の背面にあるソケット１１に挿入し又は外すことができないので、据付作業が極めて不便であった。
【０００５】
（ロ）図２に示すような形態は、ノートブック３０の電源プラグ３１の挿入に提供するだけであるので、使用範囲は限定された。
【０００６】
したがって本考案の主な目的は、一般のパソコンのメイン装置および周辺装置にあるプラグを直接に挿入して使用することが可能で、据付作業が簡単で快速なパソコン卓用埋込式ソケットの構造を提供することにある。
【０００７】
本考案の次の目的は、一般のパソコンのメイン装置および周辺装置にあるケーブルの配置が綺麗になるパソコン卓用埋込式ソケットの構造を提供することにある。
【課題を解決するための手段】
【０００８】
上述の目的を達成するために本考案の請求項に記載のパソコン卓用埋込式ソケットの構造は、パソコン用卓や棚などの管体に、埋込孔と貫通孔とが開けられ、埋込孔には埋込式ソケットが設けられているパソコン卓用埋込式ソケットの構造であって、埋込式ソケットのソケットパネルには、電源ソケット、ディスプレー用ソケット、拡声器用ソケット、マウス用ソケット、スキャナ用ソケット、マイク用ソケット、インターネット用ソケット、ＲＡＭディスク用ソケット、ディスクバーナー用ソケット、デジカメ用ソケットなどが設けられる。なお、ソケットには延長用ケーブルが設けられ、延長用ケーブルは、パソコン用卓や棚などの管体を挿通して、貫通孔に結合された保護ホースから延び出すことを特徴とするパソコン卓用埋込式ソケットの構造であることを要旨としている。
【０００９】
本考案に係るパソコン卓用埋込式ソケットの構造によれば、一般のパソコンのメイン装置および周辺装置にあるプラグが直接に挿入して使用することが可能で、据付作業が簡単で快速になり、且つ一般のパソコンのメイン装置および周辺装置にあるケーブルの配置が綺麗になる。
【考案を実施するための最良の形態】
【００１０】
以下、本考案の実施例を図面に基づいて説明する。
図３から図５に示すように、本考案の第一実施例によるパソコン卓用埋込式ソケットの構造は、パソコン卓５０の両側にあるフレームは、管体５１で構成され、且つその角部には連通状態である。フレームの管体５１周縁の上下方の適当な箇所では貫通孔５２、貫通孔５３が開けられ、貫通孔５３には保護ホース５４が連接している。埋込式ソケット６０のソケットパネル６１にはメイン装置１０の背面にある多種のソケット６１１（例えば、電源ソケット、ディスプレー用ソケット、拡声器用ソケット、マウス用ソケット、スキャナ用ソケット、マイク用ソケット、インターネット用ソケット、ＲＡＭディスク用ソケット、ディスクバーナー用ソケット、デジカメ用ソケットなど）に対応するソケットが設けられている。埋込式ソケット６０のソケット６１１に対応する箇所には延長用ケーブル６２が設けられている。埋込式ソケット６０のソケットパネル６１をパソコン卓５０のフレームに開けられた貫通孔５２に設置する場合には、延長用ケーブル６２は、管体５１を挿通して、フレームとする管体５１の貫通孔５３に連結した保護ホース５４から抜き出す。
【００１１】
図６に示すように、パソコン卓５０にパソコンを設置するときには、メイン装置１０がパソコン卓５０の下方の適当な箇所に設置され、キーボード１２が卓面５５の下方にある摺動板５６に設置される。ディスプレー１３、マウス１４、拡声器１５などの周辺装置が卓面５５に設置される。埋込式ソケット６０の延長用ケーブル６２に設けられているプラグ６３をメイン装置１０の背面にある多種のソケット１１に挿入し固定して、全ての周辺装置のプラグＢを前記埋込式ソケット６０のソケットパネル６１にあるソケット６１１に直接に挿入し固定すると、パソコンの据付作業が完成する。
【００１２】
また、本考案の第二実施例によるパソコン卓用埋込式ソケットの構造では、埋込式ソケットは図７から図９に示すものであってもよい。埋込式ソケット７０のソケットパネル７１には、メイン装置１０の背面にあるソケット１１と対応する多種のソケット７１１が設けられる。埋込式ソケット７０のソケット７１１と対応する箇所では延長用ケーブル７２が設けられ、埋込式ソケット７０のソケットパネル７１をパソコン卓５０のフレームに開けた貫通孔５２に設置する場合には、前記延長用ケーブル７２は、管体５１を挿通して、フレームとする管体５１の貫通孔５３に連結した保護ホース５４から抜き出す。
【００１３】
上述のように、本考案の、特定の例を参照して説明したが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１４】
【図１】従来のパソコンをテーブルに設置する形態を示す斜視概略図である。
【図２】もう一つの従来のパソコンをテーブルに設置する形態を示す斜視概略図である。
【図３】本考案の第一実施例によるパソコン卓用埋込式ソケットの構造で取付けた状態を示す斜視概略図である。
【図４】本考案の第一実施例によるパソコン卓用埋込式ソケットの構造の取付けた状態を示す斜視概略図である。
【図５】本考案の第一実施例によるパソコン卓用埋込式ソケットの構造に係るソケットパネルを示す上面図である。
【図６】本考案の第二実施例によるパソコン卓用埋込式ソケットの構造で取付けた状態を示す斜視概略図である。
【図７】本考案の第二実施例によるパソコン卓用埋込式ソケットの構造の取付けた状態を示す斜視概略図１である。
【図８】本考案の第二実施例によるパソコン卓用埋込式ソケットの構造の取付けた状態を示す斜視概略図２である。
【図９】図７および図８に示すソケットパネルの上面図である。
【符号の説明】
【００１５】
１０  メイン装置、１１  ソケット、１２  キーボード、１３  ディスプレー、１４  マウス、１５  拡声器、２０  パソコン卓、２１  卓面、２２  摺動板、３０  ノートブック、３１  電源プラグ、４０  パソコン卓、４１  卓面、４２  電源ソケット、５０  パソコン卓、５１  管体、５２  貫通孔、５３  貫通孔、５４  保護ホース、５５  卓面、５６  摺動板、６０  埋込式ソケット、６１  ソケットパネル、６２  延長用ケーブル、６３  プラグ、７０  埋込式ソケット、７１  ソケットパネル、７２  延長用ケーブル、７３  プラグ、２１１  貫通孔、６１１  ソケット、７１１  ソケット、Ａ  ケーブル、Ｂ  プラグ
【図１】
0003108348.tif 000003
【図２】
0003108348.tif 000004
【図３】
0003108348.tif 000005
【図４】
0003108348.tif 000006
【図５】
0003108348.tif 000007
【図６】
0003108348.tif 000008
【図７】
0003108348.tif 000009
【図８】
0003108348.tif 000010
【図９】
0003108348.tif 000011